(57)【要約】【課題】機構板の製造コストを低減すると共に、ヒンジ具の取付け工程を簡素化するパチンコ機を提供する。【解決手段】配電盤４４，球払出装置４０，各種電気装置等の裏機構部品を備えた機構板９が前面枠２の裏面に開閉自在にヒンジ１０されるパチンコ機であって、前記前面枠２に上下一対の固定ヒンジ部材１００を取着し、前記機構板９の側縁に縦長の補強フレーム１０２を固着すると共に該補強フレーム１０２の上部及び下部に前記固定ヒンジ部材１００に掛合する可動ヒンジ部材１０１を一体的に設け、前記補強フレーム１０２に沿って前記裏機構部品の配線Ｈを配設した。【選択図】図８
2005111169.tif 000002
【特許請求の範囲】
【請求項１】
配電盤，球払出装置，各種電気装置等の裏機構部品を備えた機構板が前面枠の裏面に開閉自在にヒンジされるパチンコ機であって、
前記前面枠に上下一対の固定ヒンジ部材を取着し、前記機構板の側縁に縦長の補強フレームを固着すると共に該補強フレームの上部及び下部に前記固定ヒンジ部材に掛合する可動ヒンジ部材を一体的に設け、前記補強フレームに沿って前記裏機構部品の配線を配設したことを特徴とするパチンコ機。
【請求項２】
前記補強フレームを折曲して軸支部を形成すると共に、前記軸支部に一端を枢支する蓋部材を開閉自在に設けて配線収納部を形成したことを特徴とする請求項１記載のパチンコ機。
【請求項３】
前記補強フレームに前記球払出装置等の裏機構部品の側面と重合する支持片を延設したことを特徴とする請求項１又は２に記載のパチンコ機。
【発明の詳細な説明】
【技術分野】
【０００１】
本発明は、遊技盤の裏面に機構板が開閉自在に装着されるパチンコ機に関し、特に機構板に組み付けられる電気的部品の配線収納部を備えたパチンコ機に関するものである。
【背景技術】
【０００２】
球払出装置等の裏機構部品をはじめとして、配電盤，制御基板，検知スイッチ等の電気的部品が多く設けられる機構板はパチンコ機の遊技盤裏面に開閉自在にヒンジされ、前記裏機構部品，電気的部品の配線は該機構板に形成される配線収納溝に収納するようにしていた。そして、前記配線収納溝は、遊技盤側に開放してその開放口を配線押え部材で閉塞するようにしていた。また、配線収納溝は、近年ではノイズの影響を受けやすい球払出装置等の近傍を避けて迂回するように設けられている。
【０００３】
また、機構板のヒンジ構造は、上下一対の固定ヒンジ部材と可動ヒンジ部材とを連繋して構成され、上下それぞれのヒンジ部材を個々に取付けるようにしている。
【特許文献１】特開平７−２３６７５２号公報
【発明の開示】
【発明が解決しようとする課題】
【０００４】
しかしながら、機構板に狭い配線収納溝を形成するには、金型に薄いコアを必要とし、該コアが肉薄であるがために破損しやすく、コスト的に高くなるという問題があった。
【０００５】
また、機構板を回動自在に装着するヒンジ部材は、上下別々の部品であるため、上下の位置合わせが面倒で、しかも細かな部材を個々に取付けなければならないため、ヒンジ部材の取付けの作業工程が繁雑となっていた。
【０００６】
そこで、本発明の目的は、上記課題を一挙に解決し、機構板の製造コストを低減すると共に、ヒンジ部材の取付け工程を簡素化するパチンコ機を提供しようとするものである。
【課題を解決するための手段】
【０００７】
上記課題を解決するために、請求項１記載の発明は、配電盤，球払出装置，各種電気装置等の裏機構部品を備えた機構板が前面枠の裏面に開閉自在にヒンジされるパチンコ機であって、前記前面枠に上下一対の固定ヒンジ部材を取着し、前記機構板の側縁に縦長の補強フレームを固着すると共に該補強フレームの上部及び下部に前記固定ヒンジ部材に掛合する可動ヒンジ部材を一体的に設け、前記補強フレームに沿って前記裏機構部品の配線を配設したことを特徴とする。ここでいう「一体的」とは補強フレームと可動ヒンジ部材とを一体に形成するものであっても、別体に形成した可動ヒンジ部材を補強フレームに溶着又は軸着するものを含む。また、補強フレームも上下に分割形成して一体的に取付けるようにしてもよい。また、「裏機構部品」とは、配電盤，球払出装置の他に該球払出装置にパチンコ球を供給する供給装置（球誘導樋）であったり、遊技内容を制御する基板ボックスであったり、機構板に装着されるものである。
【０００８】
請求項２記載の発明は、請求項１記載の発明において、前記補強フレームを折曲して軸支部を形成すると共に、前記軸支部に一端を枢支する蓋部材を開閉自在に設けて配線収納部を形成したことを特徴とする。ここでいう「軸支部」とは、蓋部材を枢支する軸部を設けたもの又は軸孔を設けたものを含む。また、前記蓋部材の他端は、該蓋部材に形成した係止爪を補強フレームに穿設した係止孔に係止するのがよい。また、前記蓋部材の係止爪及び支軸の近傍に切溝又は透孔を設けて該係止爪及び支軸に弾性を付与し、蓋部材を装着しやすくするのが好ましい。また、前記蓋部材は、必ずしも一枚とは限らず、複数枚によって構成するようにしてもよい。このとき、当然軸支部も複数箇所に設けられる。
【０００９】
請求項３記載の発明は、請求項１又は２記載の発明において、前記補強フレームに前記球払出装置等の裏機構部品の側面と重合する支持片を延設したことを特徴とし、前記球払出装置等の裏機構部品の側面を支持して側方への倒れを防止すると共に裏機構部品の側面をガードするように機能している。
【００１０】
前記補強フレームは金属，導電性樹脂等の導電性を有する素材により形成するのが好ましく、該補強フレームを介して静電気を放電するのがよい。また、補強フレームに導電性を備えさせることでノイズを防止することができ、従来のように配線の配設場所が限定されことはない。また、前記導電性樹脂はカーボンを混練して剛性を備えさせるのがよい。
【００１１】
また、アースを必要とする裏機構部品に放電用鉄片を備えさせ、該放電用鉄片と前記導電性を有する補強フレームとを接触させてアースするのがよい。その接触は、放電用鉄片と補強フレームとを圧接させたり共締めしたりしてなし得る。
【００１２】
前記配線収納部は、前記補強フレームが少なくとも一側を構成するものであって、補強フレームを屈曲して該補強フレームが配線収納部の二面又は三面をなすものであってもよい。また、配線収納部を構成するとは、一側でも配線に接触し得る状態を示し、該配線収納部の形状は何等限定されるものではない。また、補強フレームが配線収納部の一側をなす際には、強度を増すために長さ方向に絞りを設けるのが好ましい。
【００１３】
また、配電盤，球払出装置，各種電気装置等の裏機構部品を備えた機構板が前面枠の裏面に固定具により装着されるパチンコ機であって、前面枠側に上下一対の係合部材が取着され、機構板の側縁に縦長の補強フレームを取着すると共に該補強フレームの上部及び下部に前記係合部材に係止する係止部材が設けられ、前記補強フレームに沿って前記裏機構部品の配線を配設するようにしてもよい。また、前記補強フレームを屈曲して機構板への取着時に一側が開口する配線収納部を形成すると共に、前記開口を閉塞する蓋部材を設けるようにしてもよい。また、機構板の装着時に、前記係合部材と係止部材との係合を容易とするために、機構板の位置決めとなる位置決め手段を設けるのが好ましい。このようにすることで、固定具の取付けが容易となり、機構板に配線収納部を形成することがないので、機構板の成型も容易となる。前記開口の開設方向は限定されるものではなく、前後左右のいずれの方向であってもよい。
【００１４】
前記固定具は係合部材としての鉤片と係止部材としての係止部とからなり、機構板側に設けられる前記鉤片又は係止部を縦長の補強フレームの上部及び下部に設け、鉤片と係止部との係合により機構板を取着することができる。
【発明の効果】
【００１５】
本発明によれば、機構板に固着する縦長の補強フレームに前面枠に設けた上下一対の固定ヒンジ部材に係合する可動ヒンジ部材を設け、前記補強フレームに沿って配線を配設するようにしたので、機構板を補強すると共にヒンジ具の取付けが容易となり、配線収納も簡単に行うことができる。
【実施例１】
【００１６】
次に、本発明の一実施例を図面を参照して説明する。図１はパチンコ機の正面図、図２はパチンコ機の裏面図、図３は前面枠を開放した状態を示すパチンコ機の裏面斜視図である。図において、１はパチンコ機の機枠、２は機枠１の前面にヒンジ機構３により開閉自在に装着される前面枠であり、該前面枠２の裏面側に設けられる遊技盤取付枠４に遊技盤５が着脱自在に取着され、該遊技盤５は前面枠２の前面に開閉自在に設けられるガラス扉枠６を介して視認し得るように設けられる。そして、ガラス扉枠６の下方には打球供給皿７が設けられ、その下方には前記打球供給皿７の余剰球を貯留する余剰球受皿８が設けられ、その側方に打球の飛力を調整する操作ハンドルが設けられている。また、前記前面枠２の裏面には機構板９が一側をヒンジ具１０により枢支して開閉自在に設けられている。前記前面枠２及びガラス扉枠６，機構板９の自由端は、前面枠２の裏面に設けられる施錠装置１１によって施錠される。なお、前記打球供給皿７はガラス扉枠６と一体に開閉するようにしてもよく、さらに余剰球球受皿８又は操作ハンドルも一体に開閉するようにしてもよい。このとき、余剰球球受皿８は、貯留部を前面枠２側に設けその前面を覆うカバー体を前記ガラス扉枠６と開閉させるのが好ましい。
【００１７】
前記施錠装置１１は、図４に示すように前面枠２の自由端の裏面に固設されるＬ字状の基板１２と、前記基板１２の長手方向に沿って摺動自在に設けられ前面枠２及びガラス扉枠６，機構板９を開閉するための施錠杆１３と、前記基板１２に取付けられるシリンダ錠１５と、前記シリンダ錠１５の錠軸１５ａに固着され前記施錠杆１３の摺動方向に操作力を伝達し摺動させるカム板１６とで構成されている。前記施錠杆１３には、長板状の上下部に機枠１に設けられる受金具２１に係止する上下一対の下向き鉤片２２，２２と、前記ガラス扉枠６の裏面に開口して設けられる係止部としての係止孔（図示せず）に係止する上向き鉤部２７と、前記機構板９に設けられる係合孔１７に係脱する鉤状片１８とが長孔１９ａ〜１９ｃを介して、スプリング２３ａ〜２３ｃによって常に鉤片２２，鉤部材２７，鉤状片１８を施錠方向に付勢している。ガラス扉枠６を施錠する鉤部材２７は、施錠杆１３に形成した長孔１９ａに一端を軸ピン１４ａにより摺動自在に設け、スプリング２３ａにより前記長孔１９ａの上端に軸ピン１４ａが当接するように付勢している。このとき、前記長孔１９ａの長さは鉤片２２の解錠範囲長さと、さらに鉤状片１８の解錠範囲長さとをプラスした長さが選ばれる。次に、前面枠２を施錠する鉤片２２は、施錠杆１３に形成した長孔１９ｂに一端を軸ピン１４ｂにより摺動自在に設け、スプリング２３ｂにより前記長孔１９ｂの下端に軸ピン１４ｂが当接するように付勢している。前記長孔１９ｂは前記鉤部材２７の係合が解除される長さが選ばれる。また、機構板９の自由端を係止する鉤状片１８は、一端が施錠杆１３に形成した長孔１９ｃ及び基板１２に形成したガイド長孔（図示せず）に軸ピン１４ｃを介して回動自在に設けられ、スプリング２３ｃにより前記基板１２に形成したガイド長孔の下端に軸ピン１４ｃが当接するように付勢している。このとき、施錠杆１３に形成された長孔１９ｃは、前記鉤部材２７及び鉤片２２の係合が解除される長さをプラスした長さとして、常には軸ピン１４ｃがガイド長孔２０の下端に位置すると共に長孔１９ｃのほぼ中央に位置している。２８は施錠杆１３を手で操作する操作部である。また、前記施錠杆１３には、前記カム板１６がガラス扉枠６の解錠時に係合する係止段部２９ａ及び前面枠２の解錠時に係合する凹欠係止部２９ｂが形成されている。そして、鍵の操作によりカム板１６の操作力を施錠杆１３に伝達して、鉤片２２又は鉤部材２７を解錠方向に摺動させ、前面枠２及びガラス扉枠６を解錠するようにしている。また、機構板９の解錠は、前面枠２を開放して操作部２８を操作して施錠杆１３を上動させ、前記鉤状片１８と係合孔１７との係合を解除して機構板９が開放される。２５は、基板１２に設けられるガイド片であり、先端が機構板９側に下傾して、機構板９の閉鎖時に自由端側が荷重によりに下傾するのを所定位置に誘導し、前記鉤状片１８が係合孔１７に対向位置して係合しやすくするものである。なお、前記シリンダ錠１５及び鉤片２２，鉤部材２７，鉤状片１８の設置位置は実施例に限定されるものではなく、突出量等は任意に設定可能である。
【００１８】
また、前記遊技盤取付枠４に沿って設けられる施錠装置１１の基板１２を、遊技盤取付枠４を直接構成する一部又は一側としてもよい。このとき、基板１２が遊技盤取付枠４の角部をなすように、該基板１２を正面Ｌ字状又はコ字状に形成してもよい。また、前記基板１２に遊技盤５を遊技盤取付枠４に前面又は後面から装着する際の位置決めとなる規制片を延設するようにしてもよく、好ましくは該規制片の遊技盤５の当接面に弾性片を設けて、遊技盤５を圧接させるようにするのがよい。なお、前記規制片を波状としたり、規制片にスリットを設けて僅かに起こして該規制片に直接弾性片を形成するようにしてもよい。さらに、前記基板１２に遊技盤５の固定具を取付ける取着部を延設又は形成するようにしてもよく、該取着部に固定具をビスにより回動自在に設けるようにすればよい。このように、施錠装置１１の近傍に位置する付随具（位置規制片，固定具の取着部等）を該施錠装置１１に設けるようにすることで、加工組立てが容易になり、コスト的にも削減することができる。
【００１９】
前記機構板９は、前記遊技盤５の後面が臨む開口窓３５が開設され、該開口窓３５の上方に球タンク３６が固着されている。球タンク３６の側方には、該球タンク３６に貯留されたパチンコ球を整列して球払出装置４０に導く供給樋としての球誘導樋３７が設けられている。そして、その下流側は球払出装置４０に接続され、該球払出装置４０の下方には前記打球供給皿７に導く排出通路４１と、打球供給皿７の余剰球を余剰球受皿８に導く余剰球通路４２及び球抜き通路が形成されている。また、前記球誘導樋３７の上部には配電盤４４が設けられ、多数の配線が接続されている。そして、開口窓３５の下方に入賞球集合樋が設けられ、その後面を覆うようにパチンコ球の払出しを制御する払出制御基板４３及び遊技内容を制御する基板ボックス４６が設けられる板状部材２６が一端を前面枠２に軸支して開閉自在に設けられ、他端はナイラッチ等の係止具により係止されている。なお、前記係止具を前記施錠装置１１に機構板９の係止具と同様に鉤状片等を設けるようにしてもよく、好ましくは前記機構板９の解錠時に該板状部材２６が解錠されるようにするのがよく、さらに板状部材２６単独で解錠し得るようにするのがよい。前記板状部材２６は、前記入賞球集合部側に緩やかな湾曲又は山形状として、その湾曲により機構板９の下部を前面枠２側に圧着させて機構板９が後面側に撓むのを防止する効果を奏するようにしている。このため、別途機構板９の下部を固定し、撓みを防止する係止具を設ける必要がない。なお、もともと撓みやすい入賞球集合樋を前面枠２側に僅かに湾曲させるようにしても後面側への撓みを防止することができる。また、前記開口窓３５を閉塞するように所定高さを有するカバー部材４５が機構板９と一体に突出形成され、該立壁４５ａにより前記球タンク３６及び球誘導樋３７の下端を支持し、さらにほぼ一列状に設けられる球誘導樋３７及び球払出装置４０の側面を支持するようにしている。なお、その支持部にはリブ壁４５ｂを設けて立壁４５ａを補強すると共に前記球誘導樋３７及び球払出装置４０の側面の支持を確実なものとするのが好ましい。また、前記カバー部材４５は実施例の形態に限られるものではなく、カバー部材４５全体を機構板９と別体に形成しても、カバー部材４５の立壁４５ａを機構板９と一体に形成し、その後面を閉塞する蓋部を別体に形成するようにしてもよい。なお、カバー部材４５の下面の立壁４５ａは必ずしも設けなければならないものではなく、少なくとも上面及び側面があれば強度を保持することができる。つまり、立壁４５ａは下向きコ字状か逆Ｌ字状であればよく、側面の立壁４５ａを一側とした際には球払出装置４０側の一側とするのが好ましい。このとき、他側は蓋部と共に開閉自在又は着脱自在に設けるようにすればよい。また、前記カバー部材４５の側方に位置する球誘導樋３７及び球払出装置４０を、カバー部材４５の立壁４５ａに沿うように直接取着するようにしてもよい。該カバー体４５を別体とした際には、カバー体４５が球誘導樋３７及び球払出装置４０を備えたユニットとすることができる。このとき、球払出装置４０の配線を収納する配線収納部をカバー体４５に沿って設けるようにしてもよく、好ましくは球誘導樋３７及び球払出装置４０の後面に位置させて、球誘導樋３７及び球払出装置４０の後面を保護するようにするとよい。
【００２０】
また、機構板９の自由端側には、図４に示すように前記上下係合孔１７の開口端を補強すると共に鉤状片１８との係合具合を調整する保護板３０が機構板９の側縁に沿って設けられる連結プレート３１により一体に形成されている。そして、連結プレート３１は一部を断面Ｌ字状に形成しており、ほぼ中央に前記ガイド片２５に接触して機構板９を所定位置に導く規制片３２が設けられている。前記連結プレート３１は、前記保護板３０及び規制片３２の上端に設けられる５ｍｍ〜１０ｍｍ程度の取着用舌片３０ａ，３２ａを機構板９の側縁に形成される下向き袋状の挿通孔３３に挿通して、前記規制片３２の近傍にビスを螺締することで取付けられる。なお、前記連結プレート３１は、さらにカバー体４５の立壁４５ａに添設するように補強板を屈曲延設して機構板９及びカバー体４５の撓み・捩れを防止するようにしてもよい。このとき、前記補強板は一枚板状でもよいが、強度を保ちつつ軽量化を図るために枠状に形成するのが好ましい。さらに、該補強板にカバー体４５又は蓋部を開閉するヒンジ部を形成するようにしてもよい。
【００２１】
前記球タンク３６は、図５及び図６に示すように機構板９に接する後面壁４７と、該後面壁４７に対向する前面壁４８と、左側壁４９と右側壁５０とによって上面が開口する平面略長方形の箱状に形成されたタンク本体３６ａと、該球タンク本体３６ａ内に装着され球貯留部５１と前記球払出装置４０にパチンコ球を整列して導く球整流部５２とを区画する板状部材３６ｂとで構成している。前記板状部材３６ｂは一側に向かって傾斜するように、前記球タンク本体３６ａに形成された段部５３に支持されると共に、該板状部材３６ｂの一端に突設した係止爪５４を球タンク本体３６ａに形成される係止孔５５に係止させて、他端は弾性係止片５６に係止して内装される。そして、前記板状部材３６ｂの上面はほぼ平坦面であり、僅かに厚みを有する枠板状に形成され、下流側に球貯留部５１のパチンコ球を球整流部５２に流出させる球導出口５７が開設されると共に、該球導出口５７の前後両側開口縁にパチンコ球の半球程度の段部により球崩し部５８が隆起して形成されている。該球崩し部５８の上流部は球導出口５７に向かって互いに左右の幅方向に位置をずらして傾斜させて、パチンコ球の球圧が集中しないように球導出口５７に導くようにしている。そして、一方（機構板側）の球崩し部５８の上流部に、球切れ検知板５９が揺動自在に軸支され、その下方に球不足検出スイッチ６０が設けられている。
【００２２】
前記球整流部５２は、右側壁５０に開設した球出口５２ａに向って約５．５°の傾斜で下傾しており、前記球導出口５７の下方に位置して拡幅状に形成された球受け部と、該球受け部の下流側に連設してパチンコ球が１列又は半複列で流下する凹溝状の整流路６１と、該整流路６１に並列して段状に設けられ該整流路６１に下流側で合流するように設けられる補助通路部６２によって構成している。前記整流路６１は実施例において約１８ｍｍの通路幅としてパチンコ球が球心をずらしてランダムに流下し得るようにしている。また、前記補助通路部６２は終端に段状の球崩し部６２ａが設けられ、球導出口５７から球整流部５２に多量のパチンコ球が流入しても該球崩し部６２ａで球圧を弱めながら整流路６１に合流させることができる。なお、６３は球受け部及び整流路に敷設される金属板であり、パチンコ球の流下による磨耗を防止すると共に静電気のアースとしての用をなす。
【００２３】
前記球タンク本体３６ａの両側に取着片６４ａ，６４ｂが設けられ、一方の取着片６４ａは機構板９の袋状係止部６５に差し込まれ、他方の取着片６４ｂは、図７に示すように上下方向に貫通する開口６６を備えた逆Ｌ字状をしており、コ字状の係止部材６５によって取着片６４ｂを挟着すると共に係止部材６５に形成した嵌合突子６５ａを前記開口６６に嵌合して、球タンク３６を取付ける。また、係止部材６５はフック片６５ｂを機構板９に係止して、弾性係止片６５ｃの係合により係止部材６５の抜け止めがなされる。なお、前記球タンク３６の取着時に該球タンク３６（通路部５２）に設けた金属板６３が、連結プレート３１と接触するようにして連結プレート３１を介してアースするのがよい。好ましくは、金属板６３と連結プレート３１との接触部に弾性を付与して接触を確実にするのがよい。そして、連結プレート３１に放電された静電気は、保護板３０と鉤状片１８との接触により施錠装置１１に放電され、鉤部材２７とガラス扉枠６の金属製の補強板に形成される係止孔との係合によりガラス扉枠６に放電され、さらにガラス扉枠６のヒンジを介して放電される。このように、接触及び係合によって導通させるようにしてアース線を介して放電を行わないため、アース線の配線作業及び機構板９を開放したり取外したりする際にアース線を取外す煩わしさはない。また、施錠装置１１を介すことなく、機構板の上縁に沿って前記連結プレート３１と補強プレート１０２とを共締め等により接続する帯状の金属板を設けるようにしてもよく、該金属板を介してアースすると共ににより機構板９を補強して撓みを防止することができる。前記金属板は、好ましくは断面Ｌ字状又はコ字状とするのがよく、さらに該金属板を屈曲して配線収納部を形成し球タンク３６の球切れセンサ等の配線を収納するのがよい。また、球タンク３６の下端は前記したカバー部材４５により支持され、撓みによるパチンコ球の流れの支障をなくすことができる。なお、球タンク３６は実施例において貯留部５１と通路部５２とを一体的に設けたものとしたが、貯留部５１（球タンク）と通路部５２（球誘導樋）とを別体に形成したものであってもよい。このとき、別体に形成した貯留部５１（球タンク）と通路部５２（球誘導樋）とを機構板９に取着する際に、貯留部５１（球タンク）と通路部５２（球誘導樋）に設けられるアース板と連結プレート３１とを接触状に共締めするようにしてもよい。
【００２４】
前記球誘導樋３７は、図８及び図９に示すように前記開口窓３５の上方に位置する傾斜樋３７ａと開口窓３５の側方に位置する屈曲樋３７ｂとで構成され逆Ｌ字状に形成されている。前記屈曲樋３７ｂは、図１０に示すように供給通路６８が蛇行状に形成され、下流部で徐々に絞ってパチンコ球１個分の通路幅としている。そして、傾斜樋３７ａ及び屈曲樋３７ｂには下向きの係止突起６９が形成され、屈曲樋３７ｂの下端近傍には操作部材７０が回動自在に設けられている。前記操作部材７０は、軸筒の上方に供給通路６８に開設した透孔７１から臨む嘴状の球止片７０ａが形成され、下方に球払出装置４０の押え片７０ｂが形成される。７０ｄは操作部材７０を回動する操作摘みである。屈曲樋３７ｂの取付けは、図９鎖線に示すように操作部材７０を回動して球止片７０ａを透孔７１から供給通路６８内に臨ませた状態で、係止突起６９をカバー体４５の立壁４５ａに形成した係止孔７２ａ及び機構板９に形成した係止凹部７２ｂに臨ませ、球誘導樋３７を下動させて係合させて球誘導樋３７が取付けられる。このとき、球誘導樋３７は傾斜樋３７ａの下端及び屈曲樋３７ｂの一側を前記カバー部材４５の立壁４５ａにより支持される。このように、機構板９に対して鉛直状に設けられる屈曲樋３７ｂであっても、安定した状態で取付けることができる。なお、実施例において球誘導樋をパチンコ球が単列で流下するものとしたが、本願発明において何等限定されるものではなく、パチンコ球が複数列で流下するものであってもよいのはいうまでもない。
【００２５】
前記球払出装置４０は、図１０に示すように箱枠状のケース体７３に前記屈曲樋３７ｂの供給通路６８と連通する球通路７４と、前記球通路７４に進退自在に臨み最先のパチンコ球を制御支持する払出制御体７５と、前記払出制御体７５を駆動する電気的駆動源としてのソレノイド７６とを備え構成している。そして、前記払出制御体７５の上方に位置して鉛直面内で球荷重により回動する回転規制体７７が回動自在に設けられ、球通路７４を流下するパチンコ球の流速を制御すると共に、所定間隔をもって払出制御体７５に導くようにしている。なお、前記回転規制体７７を払出制御体７５の回動面と直交する面内に設けるようにして、パチンコ球の流下方向を変化させて流速を制御するようにしてもよい。
【００２６】
前記球通路７４は、図１０に示すように前記屈曲樋３７ｂの供給通路６８と連通する流入通路部７４ａと、前記払出制御体７５の支持から外れて払出される排出通路部７４ｂと球抜き通路部７４ｃとで構成されている。なお、前記流入通路部７４ａは、前記回転規制体７７の回転を促す方向に屈曲して形成され、前記払出制御体７５の直上位置は、前記回転規制体７７が球荷重により巻き込むように送り込むパチンコ球が側壁に衝止して噛まないように、回転方向に僅かながら湾曲傾斜させて回転方向の側壁を湾曲して設けられている。
【００２７】
７８は前記排出通路部７４ｃに払出されたパチンコ球を検出するセンサであり、該センサ７８は発光部と受光部とからなる光学式センサで、しかも排出通路部７４ｂの中心線からずれた位置でその光軸が交差するように配置される。そして前記払出制御体７５による拘束から解放されたパチンコ球が光軸を遮ることで該パチンコ球を検知し得るように配置される。言い換えれば、払出制御体７５により制止されている最先のパチンコ球は光軸を遮断することなく未だ検知されない状態にある。
【００２８】
前記回転規制体７７は、図９に示すように外周に凹凸部としての凹凸歯７７ａ，７７ｂを複数（本実施の形態において５個）設けたスプロケットタイプで、前記球通路７４内に臨んで流入通路部７４ａのパチンコ球を凹歯７７ａで受入れて、該パチンコ球の重量が該回転規制体７７に回転トルクを及ぼすように軸支７７ｃしている。そして、パチンコ球を凹凸歯７７ａ，７７ｂで支持しパチンコ球を自重で流下させることにより、順方向に従動回転するようにしている。前記凸歯７７ｂの頂点から背面にわたり、回転規制体７７の回転中心７７ｃからの距離が漸次減少する巴形状として、凸歯７７ｂで支持されたパチンコ球を凹歯７７ａに素早く受入れるようにしている。このため、高速（１分間に８００〜１０００個）の払出しに対応することができる。
【００２９】
前記払出制御体７５は、排出通路部７４ｂの内周側に支軸７９により揺動自在に軸支され、球通路７４に進退する支持部７５ａが嘴状に尖って先細テーパ状に形成されており、基部に略く字状に形成したリンク部材８１を係合させている。また、リンク部材８１は、払出制御体７５の下方に位置して軸８３により回動自在に軸着され、後端にソレノイド７６のプランジャ７６ａに固着された操作体８４を係合させている。そして、ソレノイド７６を励磁することによってプランジャ７６ａがスプリング７６ｂの弾性に抗して牽引されることから、リンク部材８１を介して該払出制御体７５が回動軸７９を中心として回転し、先端支持部７５ａが球通路７４に出没動することで、供給通路部７４ａの最先パチンコ球の流下を制止し得るように構成している。
【００３０】
また、前記球払出装置４０の下方には球抜き装置８７が設けられている。該球抜き装置８７は、図１０に示すように排出通路部７４ｂと球抜き通路部７４ｃとを切替える切替弁８８と該切替弁８８を作動させる作動部材８９とで構成されている。前記切替弁８８は払出制御体７５の下方に位置して排出通路部７４ｃと球抜き通路部７４ｄとを切替えるように回動自在に軸支され、該切替弁８８の一側に連接片９２を介してＬ字状のガイド壁９３が形成されている。前記ガイド壁９３は切替弁８８に対して下向き傾斜しており、常態でガイド壁９３の上端が作動部材８９側に傾斜している。また、前記作動部材８９はケース体７３に沿って摺動自在に設けられ、操作部８９ａと、前記ソレノイド７６のプランジャ７６ａに固着した操作体８４を強制的に作動させる作動部８９ｂと、前記ガイド壁９３に当接し切替弁８８を回動規制する規制突起８９ｃを形成している。そして、前記作動部材８９を摺動させることで、規制突起８９ｃがガイド壁９３を押圧することで切替弁８８が回動するようにしている。９０ａ，９０ｂは作動部材８９の常態位置と球抜き位置とを規制する位置決め突起であり、作動部材８９の係止部９１が係止するようにしている。
【００３１】
球抜き操作は、操作部８９ａを操作して前記作動部材８９を上方向に摺動させると、規制突起８９ｃがガイド壁９３を押圧することで切替弁８８が回動すると共に、該作動部８９ｂが前記ソレノイド７６のプランジャ７６ａを強制的に上動して、払出制御体７５を作動させてパチンコ球を排出通路部７４ｂに排出し、切替弁８８により切替えられた球抜き通路部７４ｃに該パチンコ球を導き球抜きする。このとき、作動部材８９は、係止片９１が前記位置決め突起９０ｂに係止して位置決めされ、球抜き状態を維持している。このように、作動部材８９を操作すると切替弁８８を切替えると共に、ソレノイド７６のプランジャ７６ａを強制的に上動させることができるので、球抜きを手動で簡単に行うことができ、球抜き時にわざわざソレノイド７６に通電して励磁させることがない。なお、この実施の形態において作動部材８９と切替弁８８とを別部材としたが、切替弁８８にソレノイド７６のプランジャ７６ａを強制的に作動させる操作部を一体に設けるようにしてもよい。また、球抜き装置８７は球払出装置４０と別体に形成して、球払出装置４０の下方に設けるようにしてもよい。
【００３２】
前記ケース体７３の幅広方向の一側上下には、該球払出装置４０を機構板９に取着するための鉤状の掛合片９３が突設されると共に、位置決め突起９４が形成されている。一方、機構板９に設けられる球払出装置４０の取着部には、前記位置決め突起９４が嵌る開口９８及び前記掛合片９３が係止する掛止孔９９とが、前記位置決め突起９４及び掛合片９３とほぼ同寸法幅に開設されている。
【００３３】
上記球払出装置４０の取付けは、先ず前記操作部材７０を回動操作して球止状態とし、前記掛合片９３を前記掛止孔９９に上方から臨むように掛止めして位置決め突起９４を開口９８に嵌合させる。そして、前記操作部材７０を回動させて、図１０に示すように押え片７０ｂをケース体７３の上面に係止させることにより、球払出装置４０の抜脱方向の移動を阻止され、機構板９に確実に取着される。このとき、前記屈曲樋３７ｂの球止片７０ａが供給通路６８から後退し、球払出装置４０の球通路７４にパチンコ球が流入し得る状態となる。また、球払出装置４０の取外し時には、前記操作部材７０を操作することによりケース体７３が押え片７０ｂの拘束から解除され簡単に取外すことができます。このとき、球止片７０ａが供給通路６８内に入り込むため、球払出装置４０を取外しても球零れを起こすことはない。なお、前記屈曲樋３７ｂと同様に球払出装置４０の側壁は、カバー部材４５の立壁４５ａにより確実に支持される。このように、球誘導樋３７及び球払出装置４０を機構板９に対して立設するように設けることで、開口窓３５を幅方向に広くすることができ、遊技盤５の裏面を有効に使用することができる。なお、球払出装置４０は実施例のものに限定されるものではなく、電気的駆動源としてモータを使用してパチンコ球を払出すものであっても、複列で流下するパチンコ球を交互に払出すものであってもよい。
【００３４】
また、機構板９を軸支するヒンジ具１０は、前面枠２側に取着される上下固定ヒンジ部材１００と機構板９側に取着される上下可動ヒンジ部材１０１とにより構成され、前記上下可動ヒンジ部材１０１は、図１１に示すように剛性を備える鋼やステンレス等の金属製の補強フレーム１０２の上部及び下部に一体的に形成されている。この実施例において、固定ヒンジ部材１００には軸孔１０３が開設され、可動ヒンジ部材１０１には前記軸孔１０３に嵌挿される軸ピン１０４が垂下されている。なお、ヒンジ具１０は、この実施の形態に限ることなく、固定ヒンジ部材１００に軸ピン１０４を設け、可動ヒンジ部材１０１に軸孔１０３を開設するようにしてもよい。また、前記上下固定ヒンジ部材１００を鋼やステンレス等の金属製の連結部材により一体的に設けるようにしてもよい。このとき、連結部材に可動ヒンジ部材１０１が接触し、前記軸ピン１０４の軸線が前記軸孔１０３内に位置するように位置決めするガイド部（ガイド片）を設けるのが好ましい。例えばガイド部は、連結部材を屈曲してガイド片を起立し、該ガイド片と連結部材とで形成されるＬ字型のコーナー部に、可動ヒンジ部材１０１を当接させ位置決めがなされる。このように、連結部材に一体に設けることで位置決めが確実となり、ヒンジ具１０の連繋が容易となり機構板９の装着作業性が向上することになる。また、前記ガイド部は、逆に補強フレーム１０２に設けるようにしてもよい。なお、前記施錠装置１１についての説明で、基板１２に遊技盤５の位置決め規制片及び遊技盤の固定具の取着部を設けるようにしたように、連結部材に遊技盤５の位置決め規制片及び遊技盤の固定具の取着部を設けるようにしてもよい。また、上下固定ヒンジ部材１００を連結部材で連結することなく、固定ヒンジ部材１００とガイド片と規制片及び遊技盤の固定具の取着部を一体に設けるようにしてもよい。また、前記軸孔１０３を前記係合孔１７と鉤状片１８が係合し得る範囲で前記軸ピン１０４の直径より大径（１．５〜２倍程度）として、機構板９の装着を容易とするようにしてもよい。但し、機構板９の装着時に所定位置に位置決めされる凹凸部等の位置決め手段を、隅角部等に別途設けるのがよく、好ましくは複数箇所に設けるのがよい。
【００３５】
前記補強フレーム１０２は、図１１に示すように一側が開放したコ字状として配線収納部１０５を形成し、その配線収納開口１０６に合成樹脂製の蓋部材１０７を開閉自在に設けている。前記蓋部材１０７は、一側に支軸１０８を形成し他端に係止爪１０９を設けて、所定個所に球払出装置４０等の配線を導く窓部１０７ａが形成されている。前記支軸１０８の近傍にスリット１１０を設けて該支軸１０８に弾性を付与し、前記係止爪１０９の近傍に透孔１１０ａ又はスリットを形成して弾性を付与するのが好ましい。また、前記支軸１０８の軸支部としての軸支片１１１は補強フレーム１０２の端部を折曲して形成され、軸支片１１１に形成された軸孔１１２に前記支軸１０８を挿通して軸支され、他端の係止爪１０９は補強フレーム１０２に形成された係止孔１１３に係止して固定される。このとき、支軸１０８及び係止爪１０９に弾性を付与しているため、装着作業が容易となる。なお、実施例において軸支部として軸支片１１１に軸孔１１２を形成するようにしたが、軸支片１１１をさらに細く折曲して軸部を形成するようにしてもよい。また、前記補強フレーム１０２を延設して、前記球誘導樋３７及び球払出装置４０の側壁を支持する支持片１１４を設けている。該支持片１１４は前記球誘導樋３７及び球払出装置４０の側壁に沿った形状として、該側面をガードすると共に前記屈曲樋３７ｂ及び球払出装置４０の側面を支持して側方への倒れを防止するように機能している。また、前記蓋部材１０７をクリア材で成型するのが好ましく、配線収納部１０５の配線収納状態を視認することができる。なお、前記上下固定ヒンジ部１００も同様に一体に連結部材によって連結するようにしてもよく、ヒンジ具１０の位置決め及び取付けを容易にすることができる。また、屈曲樋３７ｂ又は球払出装置４０に設けられるアース用の鉄板と前記補強フレーム１０２とを接触させて静電気を放電させるようにしてもよく、アース線を配線する煩わしい作業工程なくすことができる。さらに、球払出装置４０の電気的駆動源としてのソレノイド７６を、前記補強フレーム１０２に接触させて、度重なる駆動により加熱したソレノイド７６を該補強フレーム１０２を介して放熱させるようにして、ソレノイド７６の駆動効率を高めるようにしてもよい。また、球払出装置４０の電気的駆動源をモータとした場合には、該モータを補強フレームに接触させるようにすればよい。なお、補強フレーム１０２を金属製としたが、合成樹脂にカーボンを混練して剛性を備えさせると共に導電性を備えさせたものであってもよい。また、前記蓋部材１０７は、必ずしも一枚とは限らず、複数枚によって構成するようにしてもよく、当然軸支片１１１も複数箇所に設けられる。このとき、蓋部材１０７の分割基準は、裏機構部品単位としても、裏機構部品に設けられるスイッチ又は電気的駆動源等の配線接続部近傍としてもよく、分割した蓋部材１０７間に隙間を設けることで、配線を挿通する窓部１０７ａの替わりとするのがよい。
【００３６】
このように形成されたヒンジ具１０（固定ヒンジ部材１００及び可動ヒンジ部材１０１）は、ビス着により機構板９に固着される。そして、配線収納部１０５に配線を施すには、蓋部材１０７を開放して配線収納部１０５を露呈させ、配電盤４４に接続された配線Ｈを配線収納部１０５に沿って収納し、蓋部材１０７の係止爪１０９を係止孔１１３に係止して配線収納部１０５の開口１０６を閉鎖すればよく、簡単に配線Ｈが収納できて操作性がよい。そして、配線収納部１０５に収納された配線Ｈは、払出制御基板４３，基板ボックス４６に接続される。また、配線収納部１０５が後面側に開口しているため、前面枠２が閉じた状態でも蓋部材１０７が開放でき、配線処理を行うことができる。このように、配線収納部１０５を導電性部材である金属製の補強フレーム１０２により形成し配線を収納することにより、ノイズを遮断し電気部品の誤作動等を防止するという優れた効果を奏します。なお、配線Ｈをヒンジ具１０に設けた配線収納部１０５に収納するため、ヒンジ具１０による機構板９の開閉時に該配線Ｈがヒンジ部材１００，１０１と接触して支障をきたさないように、機構板９に凹溝を形成したりガイドリブを設けたりして、確実に配線収納部１０５に導かれるようにするのが好ましい。また、当然のことではあるが、配線Ｈはバンド等により結束して配線収納部１０５に収納するようにしてもよい。
【００３７】
上記構成の機構板９は、前記ヒンジ具１０を連繋することにより回動自在に軸支され、自由端を前記施錠装置１１により係合して閉塞し、さらに図１３に示すように機構板９の上部ほぼ中央に突出して形成される受片１１５を、上部枠下面に設けられ金属製の押え部材１１６に当接させて、機構板９の後面側への撓みを防止するようにしている。前記押え部材１１６は、金属片をＺ状に屈曲して形成され、一側片は上部枠前面に取付ける取着片１１６ｂとし、他側片は上部枠下面から垂下するように屈曲して形成され機構板９の受片１１５に当接する押え片１１６ａとしている。
【００３８】
図１４乃至図１７に、配線収納部の他の実施例を示す。なお、前記実施例と同じ構成には同一符号を付して説明する。この実施例の配線収納部１０５は、図１５及び図１７に示すように側方に配線収納開口１０６を開設して機構板９の裏面に位置して設けられ、さらに球誘導樋３７及び球払出装置４０の側面を支持する支持片１１４を補強フレーム１０２に屈曲延設している。そして、配線Ｈを側方から収納して蓋部材１０７で開口１０６を閉塞することで、配線Ｈをすっきりと収納することができる。このように、配線収納部１０５を機構板９の裏面に位置して設けることで、図１４に示すように屈曲樋３７ｂ及び球払出装置４０の側端を軸ピン１０４の軸線内に位置させることができ、その分開口窓３５をより大きく開口させることができる。なお、図１７に示すように、補強フレーム１０２の少なくとも一側を蓋部材１０７より側方に突出させるのが好ましく、該補強フレーム１０２により側方をガードすることができ、蓋部材１０７を保護することができる。さらに、図１８に示すように配線収納部１０５（補強フレーム１０２）によって直接遊技盤５を押圧することができるため、少なくとも該配線収納部１０５が位置する個所に遊技盤５を固定する固定具を設ける必要がなく、部品点数を削減することができる。なお、実施例では機構板９を上下に分割したものとして説明したが、機構板９を上下一体のものとすることで、配線収納部１０５を機構板９の下方まで形成することができ、遊技盤５の下方を固定する固定具を設けなくても遊技盤５が圧接でき、部品点数を削減することができる。
【００３９】
図１９は、配線収納部のさらに他の実施例を示し、前記実施例と異なる点は配線収納部１０５の収納容量を多くしている点である。それに伴って、球誘導樋３７及び球払出装置４０を嵩上げしている。このとき、前記球誘導樋３７及び球払出装置４０の後面高さは、前記カバー体４５の後面高さより５〜１０ｍｍ程度低く設定し、直接配線収納部１０５に衝撃を受けないようにするのが好ましい。
【００４０】
さらに、図２０及び図２１に配線収納部の他の実施例を示す。この実施例は、機構板９をカバー体４５のほぼ後面位置まで立ち上げると共に、球誘導樋３７及び球払出装置４０をその後面に設け、図２１に示すように機構板９の空間領域を遊技盤５の端部まで後方に拡張して大型盤面部品に対応し得るようにしている。そして、配線収納部１０５は機構板９の立壁４５ａに沿って設けられ、多量の配線Ｈが収納可能となっている。なお、このとき補強フレーム１０２は断面Ｌ字状に形成されているものの、配線収納部１０５としては図２１に示すように側壁の一面を構成しているに過ぎない。また、この実施例の蓋部材１０７は、一端を軸支片１１１に軸支しているものの、他端は機構板９に形成した係止孔１１３ａに係止している。また、図２１鎖線に示すように球誘導樋３７及び球払出装置４０の一部を機構板９からはみ出すように設けるようにしてもよい。このとき、配線収納部１０５を機構板９からはみ出した端部までとして、さらに配線の収納容量を増大させるのが好ましい。
【００４１】
図２２及び図２３は、配線収納部１０５が機構板９の裏面側に設けられ、補強プレート１０２が前記配線収納部１０５の一側を構成しており、該補強プレート１０２は一側に支持片１１４を延設すると共に他端を配線収納部１０５側に屈曲して、蓋部材１０７の押え片１１１ａとしている。また、機構板９に形成された配線収納部１０５は、前記補強プレート１０２が当接支持されるように所定間隔に支持壁１２０が設けられ、該支持壁１２０に蓋部材１０７の端部を支持するリブ１２１が蓋部材１０７の厚みを下げて設けられている。また、配線収納部１０５の他側壁には蓋部材１０７の係止孔１１３ｂが形成されている。一方、蓋部材１０７は、短手方向の一側を段状に屈曲して前記補強プレート１０２の押え片１１１ａ下面にもぐらせて支持され、他端は切り溝１１０ｂにより形成した弾性係止片１１９を前記係止孔１１３ｂに係合するようにしている。前記弾性係止片１１９は、下方に垂下し係止爪１０９を配線収納部１０５側に設けている。弾性係止片１１９に形成されている開口は、前記係止爪１０９を成型する際の成型孔である。また、蓋部材１０７の下面には、蓋部材１０７を閉じる際に配線Ｈが噛まないように押さえ込むリブ状の押え部１２３が所定間隔に形成されている。それにともなって、配線収納部１０５の側壁に前記押え部１２３が嵌まり込むスリット１２４が形成されている。なお、実施例において蓋部材１０７は一端を補強プレート１０２に屈曲した押え片１１１ａによって押さえ込むようにしたが、前記実施例と同様に補強プレート１０２を屈曲して蓋部材１０７の軸支部１１１を形成して、蓋部材１０７を回動自在に設けるようにしてもよい。また、図示されていないが該補強フレーム１０２の上下部には可動ヒンジ部材１０１が設けられている。
【００４２】
また、図２４及び図２５は、配線収納部１０５の蓋部材１０７に配線収納機能を付与した実施例を示し、補強フレーム１０２を側方が開放するようにコ字状に形成し、その開口１０６を蓋部材１０７で閉塞するようにしている。該蓋部材１０７は、ほぼコ字状に形成され、その対向する収納壁の端部から交互に配線収納部１０５を覆うように配線押片１１８を突設している。１０７ｂは該配線押片１１８を形成するための型の抜き孔である。前記蓋部材１０７は、コ字状の角部端部に軸部１０８を形成し他端に切り溝により爪部１０９を有する弾性係止片１１９を形成している。前記弾性係止片１１９の爪部１０９は、補強フレーム１０２に開設した係止孔１１３に係止する。配線Ｈの脱着は、弾性係止片１１９を指で押えて係止孔１１３と爪部１１９ａの係合を解除し、蓋部材１０７を開放する。そして、配線を蓋部材１０７に形成した配線収納部１０５に配線押片１１８を避けて蛇行させながら収納する。このようにすることで、配線Ｈを視認しながらまとめることができ、作業性がよくなる。また、蓋部材１０７に配線収納部１０５を設けることで、配線Ｈを蓋部材１０７に予め収納してユニット化することができ、配線の組付け及び保管管理に優れた効果を奏する。
【００４３】
なお、実施例において機構板９を回動自在に設けて自由端を施錠装置１１により固定するようにしたが、機構板９の両サイドを固定具により固定して着脱自在に装着するようにしてもよい。前記固定具は、前面枠２側に取着される上下係止部材と機構板９側に取着される上下係合部材とにより構成され、前記上下係合部材は補強フレーム１０２により一体的に形成され、前記補強フレーム１０２に該補強フレーム１０２を少なくとも一側とする配線収納部１０５が設けられる。具体的には、配線収納部１０５は補強フレーム１０２を屈曲して、該補強フレーム１０２を機構板９へ取着した際に一側が開口１０６するように形成している。前記固定具は、図２６に示すように遊技盤取付枠４に上向き鉤状片１８が回動自在に設けられる連結杆１１７を前面枠２に対して摺動自在に配設し、機構板９の前記鉤状片１８に対応する位置に係合部（係合孔１７を形成した折曲片１２２）を設けて、該折曲片１２２は補強フレーム１０２により一体的に形成されている。また、前記係合孔１７を切欠して形成した切欠片１７ａの屈曲度合いによって、前記鉤状片１８との係合度合いを調整することができる。また、機構板９は、施錠装置１１の鉤状片１８と連結杆１１７に設けた鉤状片１８とを係合部，係合孔１７に係合させることにより、機構板９が前面枠２に対して着脱自在に設けられる。前記連結杆１１７には操作部１１７ａが屈曲して設けられ、該操作部１１７ａを操作して連結杆１１７を上方にスライドさせることで鉤状片１８と係合孔１７との係合が外れて機構板９を取外すことができる。このように、機構板９を軸支することなく着脱自在とした際には、機構板９の閉鎖状態を保持するガイド片等の支持手段を設けるのが好ましく、該支持手段は機構板９の装着時に機構板９の支点（位置決め）となるようにして鉤状片１８と係合部１７を係合させるのがよい。なお、支持手段は、機構板９の上部を引掛けるようにしても、機構板９の下部を戴置支持するようにしてもよい。このときの支持部は、好ましくは前記補強フレーム１０２及び連結部材と一体に設けるようにするのがよく、例えば前記ガイド片２５と規制片３２のように設けて規制片３２をガイド片２５に支持させることで機構板９の装着が簡単に行うことができるようになる。また、固定具は実施例に示した鉤状片１８に限定されることなく、鉤状片１８を固定的なものとして係止具により係止する等、他に様々な形態が考えられる。また、鉤状片１８の係止解除を簡単にするために、鉤状片１８が設けられる施錠杆１３と連結杆１０２とを同時に操作し得るようにリンク部材等を介してレバー部材を設けるのが好ましい。このレバー部材を操作することにより、施錠杆１３と連結杆１０２とが同時に可動して、鉤状片１８と係合部１７との係合を一挙に解除することができ、機構板９の取外しが簡単となる。なお、配線収納部１０５は施錠装置１１側の連結プレート３１に設けるようにしてもよく、このとき前記保護板３０に替えて連結プレート３１の上部及び下部に前記鉤状片１８に係合する係合孔１７設けるようにしてもよい。
【００４４】
また、実施例において補強フレーム１０２を屈曲してコ字状の配線収納部１０５を形成するようにしたが、必ずしもコ字状に形成することはなく、補強フレーム１０２をＬ字状に屈曲して配線収納部１０５を形成するようにしても、補強フレーム１０２が配線収納部１０５の少なくとも一側となるように、該補強フレーム１０２に配線収納部１０５を設けるようにしてもよい。また、配線収納開口１０６も実施例に示した後面又は側面に限らず、機構板９の前面側に開口するようにしてもよい。また、補強フレーム１０２が配線収納部１０５の一側をなす際には、強度を増すために長さ方向に絞りを設けるのが好ましい。また、補強フレーム１０２に配線を掛け止めるフック片を切り起こして形成するようにしてもよい。なお、前記施錠装置１１側の連結プレート３１にカバー体４５の立壁４５ａに添設する補強板を設けるようにしたが、同様に補強フレーム１０２に設けるようにしてもよい。また、蓋部材１０７の所定個所に配線を導く窓部１０７ａを予め設けるようにしたが、蓋部材１０７の適宜個所（球誘導樋３７，球払出装置４０等の裏機構部品の設置個所）に窓部１０７ａが開設できるように、所定個所を破断して切り離し可能なようにするのが好ましく、裏機構部品の配列又は配線個所が変わっても、任意の個所に窓部１０７ａを開設することができる。当然のことながら、予め窓部１０７ａを複数箇所に形成しておいてもよい。また、補強フレーム１０２は、機構板９を上下に分割形成した際に、分割部のまさに添木として補強とすることができる。
【００４５】
なお、前記機構板９の撓み防止として、金属片にかえて合成樹脂により形成し、好ましくは図２７に示すように該押え部材１１６を機枠１に取付るための位置決めボス１１６ｃを設けるのがよい。複数の位置決めボス１１６ｃを設けることで、位置決めが確実となると共に最少のビスで取付けることができる。前記押え部材１１６は、前記機枠１の側枠１ａに設けた受金具２１と同様のものを使用すれば、わざわざ押え部材１１６を別途形成することがないため、コストを大幅に低減化することができる。また、前記押え片１１６ａに弾性を付与して確実に受片１１５又は機構板９の裏面に当接するようにして、機構板９の撓みを防止するようにしてもよい。また、上部枠を合成樹脂又はアルミ・マグネシウム等により形成して、前記押え片１１６ａを上部枠と一体に形成するようにしてもよい。このとき、上部枠のみを分割形成するようにしてもよい。さらに、ボルト・ビスを上部枠の下面に突出させ、該ボルト・ビスにより機構板９の裏面上部又は受片１１５を前記ボルト・ビスに当接させることにより機構板９の撓みを防止するようにしてもよい。さらに、他の撓み防止方法として、機枠１の上部枠下面に干渉するように受片１１５を突出させ、上部枠の前面側から前記受片１１５を受入れて前面枠２の閉鎖時に該受片１１５が当接する切溝を切削するようにしてもよい。このとき、強度的に切削量を少なくするために、切溝端に当接する受片１１５を前面側に延出するようにするのが好ましい。また、施錠装置１１側においても鉤状片１８と係合孔１７との係合が緩くなると、機構板９にがたつきが生じるため、前記受金具２１を屈曲延設して機構板９の裏面端部に当接する押え片１１６ａを形成し、前面枠２の閉鎖時に該押え片１１６ａで機構板９の裏面端部を押さえ込み、がたつきをなくすようにしてもよい。同様に他側にも機構板９の裏面端部に接触合致する押え部材１１６を設けるようにして、機構板９の撓み及びがたつきを防ぐようにしてもよい。また、機枠１のコーナー部に設けられるＬ型等の補強板の一部を延設して押え片を形成するようにしてもよい。これまで説明した押え片は、機枠１に固定的に設けるようにしたが、押え部材１１６を着脱自在に設けるようにして、パチンコ機のホールへの納入前に必要に応じて前記押え部材１１６を外すことにより、機枠１の後面側から機構板９を開放できるようにしてもよい。具体的には、図２８乃至図３０に示すように例えば機枠１の上部枠又は側枠の機構板９の後端面に位置する任意の場所に、押え部材１１６の挿通孔１２５を段状に開設し、一方押え部材１１６は上部枠及び側枠を貫通して機構板９の後端面に当接する長さを有し、機枠１の内方向を規制する規制片１１６ｄと外向きに拡開弾性を有し機枠１に係止して機枠１の外方向への移動（抜脱）を阻止する係止片１１６ｅを設けている。そして、押え部材１１６を挿通孔１２５に挿通すると係止片１１６ｅと規制片１１６ｄとにより所定位置に固定される。このとき、当然のことではあるが押え部材１１６は機枠１の外周から突出することはない。また、押え部材１１６の取外しは、挿通孔１２５から前記弾性係止片１１６ｅを摘んで係止部１２６との係合を解除して取外すことができる。なお、押え部材１１６は機構板９の上部に限定されることなく、機構板９の側方又は下方に位置して設けるようにしてもよく、このように、機構板９の側方を弾性係止片１２７により係止するようにすると、回動自在に装着された機構板９の自由端は係止具（鉤状片１８）により一箇所係止するだけでパチンコ遊技機の使用時には側方が確実に固定され、弾性係止片１２７が外れることがなく何等問題となることはない。また、係止具も前記鉤状片１８に限らず、ナイラッチ又は弾性片等の仮止め程度の係止でもよい。
【００４６】
さらに、他の機構板９の撓み防止の手段として、図３１に示すように前面枠２に機構板９の端部に係止する弾性係止片１２７を一体又は別体に設け、該弾性係止片１２７の係止爪１２８を下向き山形状に形成し、一面を機構板９と接触して弾性に抗して上動させるガイド面とし、他面を機構板９に係止する係止面としている。該係止面は、好ましくは機構板９の開放動作により解除方向に力が作用するように機構板９側に向かって傾斜させるのがよく、弾性係止片の本体に対して鈍角に形成される。これは、機構板９の閉鎖動作により簡単に係止すると共に、指で解除操作しなくても機構板９の開放動作によって簡単に外れるようにするためである。そして、前面枠２の閉鎖時に前記弾性係止片１２７の上面と機枠１の上部枠の下面との隙間Ｓ１は、前記係止爪１２８の係止長さＳ２より狭く設定される。このとき、前記弾性係止片１２７が下方に撓み得るように、弾性係止片１２７の下方に隙間が設けられている場合には、前記弾性係止片１２７の上面と機枠１の上部枠の下面との隙間Ｓ１を設けなくてもよく、万一前記弾性係止片１２７の上面と機枠１の上部枠の下面と接触したとしても、弾性係止片１２７が下方に撓んで逆に機構板９との係止を強めることになる。この際、弾性係止片１２７の先端上面は、前面枠２を機枠１に閉じる際に、機枠１の前面壁に前記弾性係止片１２７の先端が当たったとしてもスムーズに機枠１の下面に潜り込むようにするために、下方に向けてテーパー状とするのが好ましい。このように、弾性係止片１２７の上面と機枠１の上部枠の下面間の隙間を設定することで、前面枠２の閉鎖時に機構板９が撓んで係止部１２８が外れそうになっても、機枠１の上部枠との隙間が係止爪１２８の係止長さＳ２より狭いため、係止爪１２８が外れることはなく機構板９の撓みを防止することができる。また、弾性係止片１２７に替えて係止片を回動自在に設けるようにしてもよく、該係止片は自重でも弾性部材によって係止方向に付勢するようにしてもよい。但し、係止片の係止爪の形状及び係止片の回動範囲は前記した実施例と同様であり、係止片に触ることなく機構板９が閉鎖・開放ができ、前面枠２の閉鎖時には係止片が機枠１の上部枠の下面に接触して係合が外れないようにすればよい。また、弾性係止片１２７及び回動係止片が係止する機構板９の係止部を、前記係止爪の係止面と合致するテーパー面とするのが好ましい。なお、前記撓み防止手段の配置位置は、機構板９の上部一側の任意の場所でよく、配置個数も限られることなく１個でも複数であってもよい。また、前記撓み防止手段を機構板９の左右端に設けると、機構板９の軸支位置又は側部の係止位置が多少下方に位置しても撓みを防止することができる。なお、前記弾性係止片１２７及び回動係止片は前面枠２側に設けることなく、機構板９側に設けて前面枠２側に係止するようにしても同様の効果を奏することができる。また、前記弾性係止片１２７を機構板９の側方又は下方に係止するように設けるようにしてもよい。このとき、必ずしも機枠１により弾性係止片１２７の解除範囲を規制することなく、パチンコ機をホールに設置した時に、該弾性係止片１２７の近傍に位置するアウト球タンク等により弾性係止片１２７の解除範囲を規制するようにしてもよい。このように、機構板９の側方を弾性係止片１２７により係止するようにすると、回動自在に装着された機構板９の自由端は係止具（鉤状片１８）により一箇所係止するだけでパチンコ遊技機の使用時には側方が確実に固定され、弾性係止片１２７が外れることがなく何等問題となることはない。このとき、機構板９の荷重バランスの関係で、係止具（鉤状片１８）は上下中心より上方に位置して係止するのが好ましい。また、機構板９を係止具（鉤状片１８）一箇所で固定するようにすると、施錠装置１１の下方に余裕ができ前記打球供給皿７の施錠具を該施錠装置１１に設けることもできる。
【図面の簡単な説明】
【００４７】
【図１】パチンコ機の正面図である。
【図２】パチンコ機の裏面図である。
【図３】前面枠を開放した状態を示すパチンコ機の裏面斜視図である。
【図４】施錠装置部分の要部斜視図である。
【図５】球タンク部分の正面断面図である。
【図６】球タンクの平面図である。
【図７】球タンクの取付けを示す断面図である。
【図８】ヒンジ側の要部正面図である。
【図９】ヒンジ側の要部斜視図である。
【図１０】屈曲樋及び球払出装置の断面図である。
【図１１】固定ヒンジ部材の斜視図である。
【図１２】ヒンジ側の要部断面図である。
【図１３】機構板の取付けを示す要部断面図である。
【図１４】ヒンジ側の他の実施例を示す要部正面図である。
【図１５】図１４の要部斜視図である。
【図１６】図１４の固定ヒンジ部材の斜視図である。
【図１７】図１４のヒンジ側の要部断面図である。
【図１８】ヒンジ側の他の実施例を示す要部断面図である。
【図１９】ヒンジ側の他の実施例を示す要部断面図である。
【図２０】ヒンジ側の他の実施例を示す要部斜視図である。
【図２１】図２０のヒンジ側の要部断面図である。
【図２２】ヒンジ側の他の実施例を示す要部分解斜視図である。
【図２３】図２２のヒンジ側の要部断面図である。
【図２４】ヒンジ側の他の実施例を示す要部斜視図である。
【図２５】図２４のヒンジ側の要部断面図である。
【図２６】固定具による取付を示す要部斜視図である。
【図２７】押え部材の他の実施例を示す斜視図である。
【図２８】押え部材の他の実施例を示す要部斜視図である。
【図２９】図２８の要部断面図である。
【図３０】図２８の要部側断面図である。
【図３１】他の撓み防止手段を示す要部側断面図である。
【符号の説明】
【００４８】
２          前面枠
９          機構板
１０        ヒンジ具
４０        球払出装置（裏機構部品）
４４        配電盤（裏機構部品）
１００      固定ヒンジ部材
１０１      可動ヒンジ部材
１０２      補強フレーム
１０５      配線収納部
１０６      配線収納開口
１０７      蓋部材
１０９      係止爪
１１１      軸支片（軸支部）
１１３      係止孔
１１４      支持片
Ｈ          配線
【図１】
2005111169.tif 000003
【図２】
2005111169.tif 000004
【図３】
2005111169.tif 000005
【図４】
2005111169.tif 000006
【図５】
2005111169.tif 000007
【図６】
2005111169.tif 000008
【図７】
2005111169.tif 000009
【図８】
2005111169.tif 000010
【図９】
2005111169.tif 000011
【図１０】
2005111169.tif 000012
【図１１】
2005111169.tif 000013
【図１２】
2005111169.tif 000014
【図１３】
2005111169.tif 000015
【図１４】
2005111169.tif 000016
【図１５】
2005111169.tif 000017
【図１６】
2005111169.tif 000018
【図１７】
2005111169.tif 000019
【図１８】
2005111169.tif 000020
【図１９】
2005111169.tif 000021
【図２０】
2005111169.tif 000022
【図２１】
2005111169.tif 000023
【図２２】
2005111169.tif 000024
【図２３】
2005111169.tif 000025
【図２４】
2005111169.tif 000026
【図２５】
2005111169.tif 000027
【図２６】
2005111169.tif 000028
【図２７】
2005111169.tif 000029
【図２８】
2005111169.tif 000030
【図２９】
2005111169.tif 000031
【図３０】
2005111169.tif 000032
【図３１】
2005111169.tif 000033